(57)【要約】【課題】専用の機械を用いることなく、異形棒鋼に固定することが可能な定着金物を提供すること。【解決手段】異形棒鋼先端部の外周面における円周全長のうち略半分ずつを覆う略半円筒形状のカプラーを一対と、一対のカプラーが円筒状を保持するようにその外面側に嵌合する為の内テーパ部が内面に形成されたテーパースリーブと、テーパースリーブを押し込む締結ナットとを備え、締結ナットは、外面には定着部を有すると共に、内面には雌ねじ部を有し、円筒状となる一対のカプラーは、内面には、異形棒鋼の節に嵌合する節溝を有し、外面には、内テーパ部に対応すると共に異形棒鋼の先端方向に向かって縮径する外テーパ部と、外テーパ部よりも先端側の位置に形成されると共に締結ナットを螺合する雄ねじ部とを有している構成にする。【選択図】図３
2015124525.tif 000002
【特許請求の範囲】
【請求項１】
円柱状の棒鋼本体の外面には、長手方向に延長する二本のリブと、二本のリブの間を接合する複数の節とを有する異形棒鋼を取付け対象とする、定着金物であって、
異形棒鋼先端部の外周面における円周全長のうち略半分ずつを覆う略半円筒形状のカプラーを一対と、一対のカプラーが円筒状を保持するようにその外面側に嵌合する為の内テーパ部が内面に形成されたテーパースリーブと、テーパースリーブを押し込む締結ナットとを備え、
締結ナットは、外面には定着部を有すると共に、内面には雌ねじ部を有し、
円筒状となる一対のカプラーは、内面には、異形棒鋼の節に嵌合する節溝を有し、外面には、内テーパ部に対応すると共に異形棒鋼の先端方向に向かって縮径する外テーパ部と、外テーパ部よりも先端側の位置に形成されると共に締結ナットを螺合する雄ねじ部とを有していることを特徴とする、定着金物。
【請求項２】
取り付け対象となる異形棒鋼の節は、二本のリブを介して円形状に連続するように棒鋼本体の長手方向に対する位置を合わせて配置されていることを特徴とする、請求項１記載の定着金物。
【発明の詳細な説明】
【技術分野】
【０００１】
本発明は、異形棒鋼先端部に取り付ける定着金物に関する。
【背景技術】
【０００２】
従来、コンクリートへ鉄筋を定着させる方法は、大別して、単純に鉄筋とコンクリートの付着による方法、鉄筋端部を曲げ、フックを形成する方法、機械式定着する方法に区分されている。その中でも機械式定着する方法には後記特許文献に提案されているような定着金物が用いられている。
【０００３】
特許文献１では、ねじ部を内部刻設した定着板と固定部を一体化した定着材と、ねじ部を内部刻設した固定ナットで構成した、ネジ鉄筋用定着部材が公開されており、ねじ鉄筋に定着材と固定ナットを螺合させることを特徴としている。
【０００４】
特許文献２では、異形棒鋼の端部に、摩擦圧接によってねじ体を取りつけ、該ねじ体に定着板を螺着することを特徴とする異形棒鋼の定着金物が公開されている。
【先行技術文献】
【特許文献】
【０００５】
【特許文献１】特開平１１−２００５５８号公報
【特許文献２】実用新案登録第３０６９３８４号公報
【発明の概要】
【発明が解決しようとする課題】
【０００６】
特許文献１の構成では、ねじ鉄筋のねじ節に定着部材を螺合させるため、ねじ節の存在しない異形棒鋼には採用できないという問題がある。
【０００７】
特許文献２の構成では、異形棒鋼端部に、摩擦圧接によってねじ部が取り付けられているが、摩擦圧接するためには高価な専用の設備の導入が必要になるという問題がある。
【０００８】
本発明は上記実情を基に開発されたもので、高価な専用の設備を用いることなく、異形棒鋼に固定することが可能な定着金物の提供を目的としている。
【課題を解決するための手段】
【０００９】
前記の課題を解決するための本発明は、円柱状の棒鋼本体の外面には、長手方向に延長する二本のリブと、二本のリブの間を接合する複数の節とを有する異形棒鋼を取付け対象とする、定着金物であって、異形棒鋼先端部の外周面における円周全長のうち略半分ずつを覆う略半円筒形状のカプラーを一対と、一対のカプラーが円筒状を保持するようにその外面側に嵌合する為の内テーパ部が内面に形成されたテーパースリーブと、テーパースリーブを押し込む締結ナットとを備え、締結ナットは、外面には定着部を有すると共に、内面には雌ねじ部を有し、円筒状となる一対のカプラーは、内面には、異形棒鋼の節に嵌合する節溝を有し、外面には、内テーパ部に対応すると共に異形棒鋼の先端方向に向かって縮径する外テーパ部と、外テーパ部よりも先端側の位置に形成されると共に締結ナットを螺合する雄ねじ部とを有していることを特徴とする。
【００１０】
そして、異形棒鋼の節とカプラーの節溝を、容易に精度よく嵌合するために、取り付け対象となる異形棒鋼の節は、二本のリブを介して円形状に連続するように棒鋼本体の長手方向に対する位置を合わせて配置されていることが好ましい。
【発明の効果】
【００１１】
本発明によれば、一対のカプラーの雄ねじ部側が異形棒鋼の先端部側にくるように配置した上で、一対のカプラーの内面側で、異形棒鋼の先端部の外面を覆うようにして被せ、その後、テーパースリーブと締結ナットによって、一対のカプラーを異形棒鋼に固定できる構成のため、異形棒鋼端部に定着金物を取り付けるのに、高価な専用の機械は必要ない。
【００１２】
また、取り付け対象である異形棒鋼の節が、二本のリブを介して円形状に連続するように棒鋼本体の長手方向に対する位置を合わせて配置されている構成の場合、異形棒鋼の節とカプラーの節溝を、容易に精度よく嵌合できるため、定着金物を異形棒鋼に固定する際の作業性が向上する。
【図面の簡単な説明】
【００１３】
【図１】（ａ）、（ｂ）図は、本発明による定着金物の取付け対象となる異形棒鋼の正面図、右側面図である。
【図２】（ａ）、（ｂ）図は、本発明による定着金物の使用状態を示す正面図、左側面図である。
【図３】本発明による定着金物の使用状態を示す縦断面図である。
【図４】（ａ）、（ｂ）、（ｃ）、（ｄ）図は、カプラーの平面図、正面図、右側面図、底面図である。
【図５】本発明による定着金物を取付けた際の異形棒鋼の節と、カプラー内面の節溝との嵌合状態を示す拡大縦断面図である。
【図６】（ａ）、（ｂ）、（ｃ）図は、テーパースリーブの正面図、右側面図、断面図である。
【図７】（ａ）、（ｂ）、（ｃ）図は、締結ナットの正面図、左側面図、断面図である。
【発明を実施するための形態】
【００１４】
以下、この発明の実施の形態を図１から図７を参照して詳細に説明する。まず、本発明の定着金物の取り付け対象である異形棒鋼Ａについて説明する。異形棒鋼Ａは、一対二個の圧延ロールを対向配置した二ロール圧延機が複数台直列に配列された熱間連続圧延設備によって製造される。この異形棒鋼Ａの形状は、図１(ａ)、（ｂ）に示すように、円柱状の棒鋼本体Ａ１の外面長手方向に延びるリブＡ２を棒鋼本体Ａ１の円形断面の中心を基準として円周方向に沿って１８０度毎に設けるとともに、二本のリブＡ２、Ａ２の間には多数の節Ａ３を棒鋼本体Ａ１の外面長手方向に間隔をあけて設けてある。各節Ａ３は、円周方向に延びるほぼ半円状であって、各リブＡ２に対して直交している。また、異形棒鋼Ａの製造段階で、圧延ロールの周方向に設けた節用の凹溝の位置を二ロールで合わせることにより、二本の節Ａ３、Ａ３が、棒鋼本体Ａ１に対する同一円周方向に、二本のリブＡ２、Ａ２を挟み込むようにして配置され、言い換えるならば、二本の節Ａ３、Ａ３が二本のリブＡ２、Ａ２を介して円形状に連続するように棒鋼本体Ａ１の長手方向に対する位置を合わせて配置されている。
【００１５】
その他に、異形棒鋼ＡのリブＡ２と、節Ａ３とはそれぞれ面一、つまり、リブＡ２の外周面と節Ａ３の外周面が段差なく連続している。因みに、異形棒鋼Ａの長手方向で隣り合う節Ａ３と節Ａ３との間は、棒鋼本体Ａ１へ向かって窪むような円弧状に形成されている。
【００１６】
本発明による定着金物は、図２、及び、図３に示すように、一対のカプラー１０、１０と、テーパースリーブ２０と、締結ナット３０とから構成されている。
【００１７】
カプラー１０は、所望の強度を有する金属材料、例えば鉄等をもって鋳造した、異形棒鋼Ａ以上の引張り強度を有するものであって、図２（ｂ）に示すように、断面が半円よりもわずかに小さい、略半円筒形状をなすものである。そして、異形棒鋼Ａと嵌合する際には、一対のカプラー１０、１０は、互いの円周方向の端面同士を対向させることにより、略円筒状となる。また、一対のカプラー１０、１０の円周方向の間には、図２（ｂ）に示すように、リブＡ２に沿って延長する隙間１６をそれぞれ有している。
【００１８】
そして、カプラー１０は、内面には、その長手方向に間隔をあけて円周方向に延びる係止突起１４を複数有している。また、隣り合う係止突起同士１４、１４の間には、節溝１５がそれぞれ形成されている。なお、この節溝１５の形状は、図３、図５に示すように、異形棒鋼Ａの節Ａ３の形状と略一致し、係止突起１４の形状も隣り合う節同士Ａ３、Ａ３の間の形状と略一致したものである。
【００１９】
そして、カプラー１０は、図４に示すように、外面には、長手方向の一端（図面では右側の端）から他端（図面では左側の端）へ向かって順に、半外テーパ部１２ａと、半雄ねじ部１１ａをそれぞれ有している。そして、半外テーパ部１２ａは、一端へ向かって外径が大きくなっており、一対のカプラー１０、１０、の円周方向の端面同士が対向することで、一端へ向かって拡径する外テーパ部１２をそれぞれ形成する。なお、本実施例では、図４（ａ）、（ｂ）、（ｃ）に示すように、半外テーパ部１２ａの一端部であって、且つ、半外テーパ部１２ａの円周方向中間部には、バイス等で挟んで固定するための挟み持ち部１３として、カプラー１０の円周方向の端面と平行な面を有している。また、半雄ねじ部１１ａは、一対のカプラー１０、１０の円周方向の端面同士が対向することで、雄ねじ部１１をそれぞれ形成する。なお、実施形態例では、雄ねじ部１１のねじ方向は、図４（ａ）、（ｂ）に示すように、右ねじとなっている。
【００２０】
テーパースリーブ２０は、図３、図６に示すように、略円筒形状をなすものであって、内面には、外テーパ部１２に対応した、言い換えるならば、外テーパ部１２のテーパ角度と同角度の内テーパ部２１をそれぞれ有している。なお、図６では、一端から他端へ向かって内径が縮径したものとなっている。
【００２１】
締結ナット３０は、図７（ａ）、（ｂ）に示すように、外面には、他端（図面では左側の端）から一端（図面では右側の端）へ向かって順に、非円形状部の一つである多角形状部３１（図では六角形状となっている）と、多角形状部３１よりも張り出しており、且つ、円環形状の鍔３２を有している。なお、本実施形態の鍔３２は、所謂、定着部として利用するものであって、コンクリートに対する異形棒鋼Ａの軸方向の定着力を増大させるものである。そして、締結ナット３０の内面には、図７（ｃ）に示すように、雄ねじ部１１に螺合することが可能な、右ねじのねじ山からなる雌ねじ部３３を有している。
【００２２】
以上のような定着金物は、以下のようにして使用する。まず、一対のカプラー１０、１０の雄ねじ部１１側が異形棒鋼Ａの先端部側にくるように、一対のカプラー１０、１０と、異形棒鋼Ａとを配置すると共に、一対のカプラー１０、１０の内面側で、異形棒鋼Ａの先端部の外面を覆うようにして被せる。なお、この時、各カプラー１０は、異形棒鋼Ａの外周面における円周全長のうち、略半分ずつを覆っており、一対のカプラー１０、１０の内部に収容された異形棒鋼Ａの位置や嵌合状況は、一対のカプラー１０、１０の円周方向の間に設けられた隙間１６から確認することが可能である。その後、一対のカプラー１０、１０の外テーパ部１２と、テーパースリーブ２０の内テーパ部２１のテーパーの向きを一致するようにして、異形棒鋼Ａの先部側からテーパースリーブ２０を通すことで、一対のカプラー１０、１０を異形棒鋼Ａの外面に接近させ、一対のカプラー１０、１０を円筒状に保持する。そして、円筒状に保持した一対のカプラー１０、１０の雄ねじ部１１に、締結ナット３０を螺合させる。なお、その際には、鍔３２が工具の位置決めに有用である。そして、締結ナット３０を螺合させるにつれ、テーパースリーブ２０は、異形棒鋼Ａの先端部側から遠ざかる方向に移動する。そして、この時、内テーパ部２１と、外テーパ部１２を有することから、徐々に一対のカプラー１０、１０が異形棒鋼Ａをその半径方向に締め付ける力が働き、各係止突起１４が異形棒鋼Ａの外面に強固に押し付けられ、その結果、異形棒鋼Ａの先端部に定着金物が固定される。
【００２３】
本発明の定着金物は、上記実施形態に限定されるものではなく、その趣旨を逸脱しない範囲において適宜変更可能である。例えば、上記実施形態では、鍔３２の形状は円環であったが、これに限らず、本発明では多角形等の多角形状でも問題ない。また、上記実施形態では、締結ナット３０の外面には非円形状部の一つである多角形状部３１と、鍔３２を有していたが、場合によっては、締結ナット３０の外面には、多角形状部３１のみを有する構成でも問題ない。ただし、その場合は多角形状部３１を定着部として利用するので、コンクリートに対する定着力を増大させたい場合には、多角形状部３１の外径は、テーパースリーブ２０の外径よりも大径であることが望ましい。また、カプラー１０内の節溝１５や異形棒鋼ＡのリブＡ２の個数は、問わない。
【符号の説明】
【００２４】
１０    カプラー
１１    雄ねじ部
１１ａ  半雄ねじ部
１２    外テーパ部
１２ａ  半外テーパ部
１３    挟み持ち部
１４    係止突起
１５    節溝
１６    隙間
２０    テーパースリーブ
２１    内テーパ部
３０    締結ナット
３１    多角形状部
３２    鍔
３３    雌ねじ部
Ａ      異形棒鋼
Ａ１    棒鋼本体
Ａ２    リブ
Ａ３    節
【図１】
2015124525.tif 000003
【図２】
2015124525.tif 000004
【図３】
2015124525.tif 000005
【図４】
2015124525.tif 000006
【図５】
2015124525.tif 000007
【図６】
2015124525.tif 000008
【図７】
2015124525.tif 000009